(57)【特許請求の範囲】
【請求項１】
掃除機本体の底面に固定された固定具と、ホース、延長管、床用吸込具のいずれかに設けられ前記固定具に係合する係合片とを有する電気掃除機において、
前記固定具は、掃除機本体の下ケースと別部品とするとともに前記係合片が係合する角形状のボックス部を有し、
前記下ケースの内底面には、前記下ケースに設けられた開口部を持ち前記固定具をはめ込むためのガイドが立設されたボックス受け部が設けられ、
前記固定具は、前記ボックス部の四辺が前記ボックス受け部のガイドに該下ケースの内側から嵌合し、前記下ケースの内側から固定する構成となっていることを特徴とする電気掃除機。
【請求項２】
前記固定具と前記下ケースとは、異なる色で形成されていることを特徴とする請求項１記載の電気掃除機。
【請求項３】
前記固定具は、前記下ケースより強度の高い材料から構成されていることを特徴とする請求項１または２記載の電気掃除機。
【請求項４】
前記下ケースの外底面には前記固定具へ前記係合片を導くガイド溝部が形成されていることを特徴とする請求項１〜３のいずれか１項に記載の電気掃除機。
【請求項５】
前記掃除機本体は前輪を備え、前記前輪は、前記ガイド溝部の延長線上に少なくとも２個回転自在に設けられていることを特徴とする請求項４記載の電気掃除機。
【請求項６】
前記掃除機本体は後輪を備え、該後輪は２色成形により形成されていることを特徴とする請求項１〜５のいずれか１項に記載の電気掃除機。
【請求項７】
前記固定具は、リード線押さえ部を有することを特徴とする請求項１〜６のいずれか１項に記載の電気掃除機。
【発明の詳細な説明】
【技術分野】
【０００１】
本発明は、電気掃除機に関し、特に電気掃除機の収納の際におけるホースやパイプ等を掃除機本体に着脱自在に取り付けるための取付構造に関する。
【背景技術】
【０００２】
電気掃除機を収納する際、スタンド状態にした掃除機本体にホースやパイプ等をフック等を介し係合して取り付ける取付構造が知られている（例えば、特許文献１参照）。この従来の取付構造は、掃除機本体の底面に設けられた固定具と、ホース、延長管、床面吸込具のいずれかに設けられ固定具に引っ掛けられる引っ掛け部とから構成されている。
【先行技術文献】
【特許文献】
【０００３】
【特許文献１】特許第３０４４８６２号公報
【発明の概要】
【発明が解決しようとする課題】
【０００４】
しかしながら、従来の電気掃除機の取付構造では、以下に示すような課題があった。
（１）掃除機本体の底面に設けられた固定具の位置がわかりにくいため、ホースやパイプ等の引っ掛け部を固定具に引っ掛けるのに手間がかかる。
（２）固定具の取付は、掃除機本体の外底面側から位置決め（掃除機本体の外底面に設けた係合片に固定具の後部に設けた係合部を係合して位置決め）した後、掃除機本体の内側からねじまたは鋲で固定具を固定する構造であるため、つまり掃除機本体の内外両側から取り付ける構造であるため、固定具の取付が面倒である。
（３）固定具は側面視でＬ字状となっているため、引っ掛け部を引っ掛けたときの曲げ応力に対する耐久性が低い。
【０００５】
本発明は、上記のような課題に鑑み、ホースやパイプ等に設けられた係合片を掃除機本体側の固定具に挿入する際の視認性が良く、また固定具の取付が容易にできる電気掃除機を提供することを目的とする。
【課題を解決するための手段】
【０００６】
本発明に係る電気掃除機は、掃除機本体の底面に固定された固定具と、ホース、延長管、床用吸込具のいずれかに設けられ固定具に係合する係合片とを有する電気掃除機において、固定具は、掃除機本体の下ケースと別部品とするとともに係合片が係合する角形状のボックス部を有し、下ケースの内底面には、下ケースに設けられた開口部を持ち固定具をはめ込むためのガイドが立設されたボックス受け部が設けられ、固定具は、ボックス部の四辺がボックス受け部のガイドに該下ケースの内側から嵌合し、下ケースの内側から固定する構成となっていることを特徴とするものである。
【発明の効果】
【０００７】
上記のように、固定具は、掃除機本体の下ケースと別部品とし、かつ、下ケースに設けられた開口部に該下ケースの内側から嵌合し下ケースの内側から固定する構成となっているので、収納時、スタンド状態の掃除機本体の固定具にホース、延長管、床用吸込具のいずれかに設けられた係合片を挿入する際、視認性が良く、また固定具の取付が容易にできる電気掃除機を実現できるという効果がある。
【図面の簡単な説明】
【０００８】
【図１】本発明の実施の形態１における電気掃除機１００の外観斜視図である。
【図２】掃除機本体１の上面図である。
【図３】図２のＡ−Ａ断面図である。
【図４】サイクロン分離ユニット２０を取り外した状態を示す掃除機本体１の分解斜視図である。
【図５】延長管部分の取付前における掃除機本体１と延長管部分の外観斜視図である。
【図６】掃除機本体１の収納状態を示す断面図である。
【図７】図６のＢ部の拡大図である。
【図８】掃除機本体１の底面図である。
【図９】図８のＣ部の拡大図である。
【図１０】固定具４０の取付前における掃除機本体１の下ケース１２と固定具４０の外観斜視図である。
【図１１】固定具４０の取付時における掃除機本体１の下ケース１２と固定具４０の外観斜視図である。
【図１２】図１１のＤ部の拡大図である。
【図１３】固定具４０の外観斜視図である。
【発明を実施するための形態】
【０００９】
以下、本発明に係る電気掃除機について図面に基づいて説明する。ここでは、一例としてサイクロン分離式集塵装置を具備する電気掃除機について説明するが、本発明はこれに限定されるものでないことはいうまでもない。例えば、同じサイクロン分離式集塵装置であっても垂直円筒型のサイクロン集塵部を有する電気掃除機や紙パック式の集塵部を有する電気掃除機などにも同様に本発明を適用することができるものである。
【００１０】
実施の形態１．
図１は本発明の実施の形態１における電気掃除機１００を示す外観斜視図、図２は掃除機本体１の上面図、図３は図２のＡ−Ａ断面図、図４はサイクロン分離ユニットを取り外した状態を示す掃除機本体１の分解斜視図である。
この電気掃除機１００は、掃除機本体１と、掃除機本体１の吸込口１１に一端が回転自在で着脱自在に接続され他端に使用者が手に持って操作する手元操作部３を有する可撓性のあるホース２と、ホース２に着脱自在に接続される延長管４と、延長管４に着脱自在に接続され床面や絨毯等に存在する塵埃を吸引する床用吸込具５とを備えている。なお、延長管４は、パイプを伸縮させるパイプ伸縮方式、複数のパイプを繋いでいくパイプ継ぎ方式のいずれでも構わない。
【００１１】
掃除機本体１は、電動送風機３０を内蔵した本体ケース１０と、本体ケース１０上に着脱自在に傾斜させて装着されるサイクロン分離ユニット２０（サイクロン分離式集塵装置の主要部をいう）とを備えている。
本体ケース１０は、下ケース１２と上ケース１３とからなり、前輪１４と後輪１５により手元操作部３を持って自由に引き回すことができるようになっている。掃除機本体１の移動方向前方に当たる本体ケース１０の前部には、ホース２の一端の接続口部が接続される吸込口１１と、掃除機本体１を持ち運びできる本体ハンドル部１６が設けられている。
【００１２】
サイクロン分離ユニット２０は、本体ケース１０に対して着脱自在に装着される。さらに、サイクロン分離ユニット２０は、一次サイクロン分離部２１と二次サイクロン分離部２２とが一体的に並設されており、かつ、そのケースが４つの部分２３〜２６に分離可能に形成されている。そして、サイクロン分離ユニット２０は、最終段である４段目の部分がそれぞれ集塵部２６となっており、この集塵部２６を前方側を下向きにして斜めに本体ケース１０に装着されている。
一次サイクロン分離部２１の２段目部分２４の側面に含塵空気の流入口２７が開口されており、この流入口２７と吸込口１１は掃除機本体１の幅方向の一方側に設けられた空気ダクト２８を介して密接に接続されている。
【００１３】
一次サイクロン分離部２１と二次サイクロン分離部２２は、ここでは詳細な構成の説明は省略するが、電動送風機３０の吸引力により、いずれも内部で旋回気流を発生させて含塵空気から比重の大きい塵埃とこれよりさらに比重の小さいゴミと空気とに遠心分離してこれらの塵埃・ゴミを分別して捕集するようになっている。
【００１４】
含塵空気は、床用吸込具５から吸い込まれ、延長管４、ホース２を経て掃除機本体１の吸込口１１に入り、引き続き空気ダクト２８を通過して流入口２７から一次サイクロン分離部２１に流入する。そして、含塵空気は一次サイクロン分離部２１から二次サイクロン分離部２２を通過する間にサイクロン原理により塵埃が分離され捕集される。
サイクロン分離ユニット２０を通過した空気は、二次サイクロン分離部２２の１段目部分２３に設けられた排出管２９ａを経て、排出管２９ａに密接に接続される本体ケース１０上の排出管２９ｂよりフィルター装置３１へ導かれ、フィルター装置３１を経由して電動送風機３０により吸引される。このため、フィルター装置３１によってサイクロン分離ユニット２０で分離しきれなかった微細なゴミやダストを除去し、これにより清浄化された空気が上記の空気ダクト２８と反対側の掃除機本体側方に設けられた排気口３２より外部へ排出される。なお、フィルター装置３１は複数設けてもよい。例えば、電動送風機３０の吸い込み側と送風側（吐出側）のそれぞれにフィルター装置３１を設けることができる。これによって、吸気と排気を二重に除塵するため、電気掃除機１００の排気をより清浄にすることが可能となる。
【００１５】
次に、本発明の要部である電気掃除機１００の収納に関わる部分について図５から図１３を参照して説明する。
図５は、収納時、スタンド状態の掃除機本体１とこの本体１に係合する前の延長管４部分を示す外観斜視図であり、わかりやすくするためホース２部分の図示は省略してある。図６は掃除機本体１に延長管４部分を取り付けた状態（掃除機本体１の収納状態）を示す断面図、図７は図６のＢ部の拡大図、図８は掃除機本体１の底面図、図９は図８のＣ部の拡大図、図１０は固定具４０の取付前における掃除機本体１の下ケース１２と固定具４０の外観斜視図、図１１は固定具４０の取付時における掃除機本体１の下ケース１２と固定具４０の外観斜視図、図１２は図１１のＤ部の拡大図、図１３は固定具４０の外観斜視図である。
【００１６】
電気掃除機１００の収納時には本体ハンドル部１６を持って掃除機本体１を引き起こし、図５に示すように掃除機本体１をスタンド状態にする。掃除機本体１には、上ケースから後方に突出する一対の凸部１８、１９（図２参照）と、本体後面に設けられた一対の凸部１７が設けられているので、凸部１８、凸部１９と一対の凸部１７の４点支持にて掃除機本体１を安定して立てることができる。そしてこのスタンド状態のときには、床面に対向する掃除機本体１の底面が床面に略垂直または少し前傾（底面が上向き傾斜）する状態となるように保持される。また、後輪１５は２色成形（例えば、内側車輪部はＡＢＳ樹脂、外側車輪部はシリコンゴム、又は、内側車輪部はＰＰ樹脂、外側車輪部はエストラマー）により形成されている。このため、色分けにより掃除機本体１の大きさの目印となり、ホースや延長管等に設けられた係合片を固定具に挿入する際に、掃除機本体１に接触することが少なくなるため傷がつきにくいという効果がある。
【００１７】
この底面を形成する下ケース１２の中心線（図８のスタンド状態の中心線）上にフック状の固定具４０が取り付け固定される。一方、延長管４には固定具４０に係合する係合片４１が一体成形または別体で設けられている。係合片４１はＬ字状の差し込み部４１ａが床用吸込具５の方向を向くように下向き（逆Ｌ字状）に形成されている。したがって、収納の際には係合片４１の差し込み部４１ａを固定具４０に上方から挿入することにより、スタンド状態の掃除機本体１に延長管４を取り付けることができ、その状態で電気掃除機１００を収納することができる。なお、係合片４１は、本例では延長管４に設けられているが、床用吸込具５やホース２に設けることもでき、延長管４、床用吸込具５、ホース２のいずれかに設ければよい。
【００１８】
固定具４０は、下ケース１２とは別部品として形成されており、図１３に示すように角形状のボックス部４０ａを有し、その縦断面はＬ字状に形成されている。また、角形状のボックス部４０ａには、ねじ挿通穴４０ｃを有する取付部４０ｂが形成され、さらに一方の取付部４０ｂにはＬ字状のリブからなるリード線押さえ部４０ｄが形成されている。リード線押さえ部４０ｄにより、電動送風機３０や基板に接続するリード線４２を固定具４０の取付と同時に固定することができる。
【００１９】
一方、下ケース１２の外底面には、図５に示すように係合片４１の挿入をガイドするガイド溝部１２ａが形成されている。そして、下ケース１２の内底面には、図１０に示すように角形状のボックス部４０ａをはめ込む開口部を持つボックス受け部１２ｂが形成されているとともに、その近傍にはねじ穴１２ｃを有する取付台１２ｄが形成されている。したがって、固定具４０のボックス部４０ａをボックス受け部１２ｂにはめ込み、取付部４０ｂを取付台１２ｄにねじで締め付け固定すると、ボックス部４０ａの内部は図６に示すようにガイド溝部１２ａに連通する状態となる。このため、延長管４、床用吸込具５、ホース２のいずれかに設けた係合片４１をガイド溝部１２ａに沿ってスムーズに挿入することができ、係合片４１を固定具４０のボックス部４０ａ内に挿入し係合することができる。また、ボックス受け部１２ｂは少なくとも開口部を有するものであればよい。
【００２０】
また、図８および図９に示すように、ガイド溝部１２ａの延長線上には少なくとも２個の前輪１４が３６０度回転自在に設けられている。前輪１４は曲面を有する円形のキャスター１４ａに回転自在に装着されている。これにより、延長管４を前輪１４に接触しながらガイド溝部１２ａに沿ってスムーズに挿入することができる。
【００２１】
本実施の形態の電気掃除機１０は、上記のように構成されているので、以下に示すような効果がある。
【００２２】
（１）固定具４０は下ケース１２の内側のみから固定するため、固体具４０の取付作業が容易である。また、固定具４０の固定手段（ねじ）が外れても脱落の防止が可能である。
【００２３】
（２）固定具４０は下ケース１２と別部品となっており、かつ、下ケース１２の色と異なる色、例えば赤色など目立つ色にすることができるので、固定具４０の位置がわかりやすく、係合片４１の挿入の際の視認性がよい。
【００２４】
（３）固定具４０は係合片４１の挿入部分が角形状のボックス部４０ａとなっているため、強度が高く耐久性に優れている。また、固定具４０を下ケース１２より強度の高い材料、例えば金属やＦＲＰ等で構成することにより、より高い強度と耐久性を持たせることができる。また、固定具４０の摩耗を減ずることもできる。
【００２５】
（４）係合片４１のサイズが異なる延長管４を掃除機本体１と組み合わせて使用する場合、固定具４０のみの形状変更で対応できるので、互換性および金型改造費削減の面で有利である。
【００２６】
（５）下ケース１２の外底面に固定具４０へ係合片４１を導くガイド溝部１２ａを形成することにより、係合片４１の挿入をスムーズに行うことができる。
【００２７】
（６）延長管４等を掃除機本体１に取り付ける際に、掃除機本体１の最外部品である車輪（後輪１５）を２色成形により形成することにより、掃除機本体１の大きさの目印となり、延長管４等を掃除機本体１に取り付けやすい。
【００２８】
（７）前輪１４をガイド溝部１２ａの延長線上に少なくとも２個回転自在に設けることにより、延長管４を前輪１４に接触しながらスムーズに挿入できるため、収納時の延長管４等の取付を容易に行うことができる。
【００２９】
（８）固定具４０は、リード線押さえ部４０ｄを有するので、電動送風機３０や制御基板のリード線を固定するのに、別部品を要することなく固定具４０の取付と同時にリード線を固定することができる。
【符号の説明】
【００３０】
１  掃除機本体、２  ホース、３  手元操作部、４  延長管、５  床用吸込具、１０  本体ケース、１１  吸込口、１２  下ケース、１２ａ  ガイド溝部、１２ｂ  ボックス受け部（開口部）、１２ｃ  ねじ穴、１２ｄ  取付台、１３  上ケース、１４  前輪、１５  後輪、１６  本体ハンドル部、１７  凸部、１８  凸部、１９  凸部、２０  サイクロン分離ユニット、２１  一次サイクロン分離部、２２  二次サイクロン分離部、２６  集塵部、２７  流入口、２８  空気ダクト、２９ａ  排出管、２９ｂ  排出管、３０  電動送風機、３１  フィルター装置、３２  排気口、４０  固定具、４０ａ  ボックス部、４０ｂ  取付部、４０ｃ  ねじ挿通穴、４０ｄ  リード線押さえ部、４１  係合片、４２  リード線、１００  電気掃除機。
【図１】
0005565092.tif 000002
【図２】
0005565092.tif 000003
【図３】
0005565092.tif 000004
【図４】
0005565092.tif 000005
【図５】
0005565092.tif 000006
【図６】
0005565092.tif 000007
【図７】
0005565092.tif 000008
【図８】
0005565092.tif 000009
【図９】
0005565092.tif 000010
【図１０】
0005565092.tif 000011
【図１１】
0005565092.tif 000012
【図１２】
0005565092.tif 000013
【図１３】
0005565092.tif 000014